(57)【要約】      （修正有）【課題】穀粒貯留室の側壁に覗き窓を設けた穀物乾燥機において、覗き窓を通して穀粒の溜まり具合を機外から見易くした穀物乾燥機を提供する。【解決手段】貯留室２の外側壁に上下に並べて複数の覗き窓４１を設けた穀物乾燥機において、各々の覗き窓を外から照らす照明灯４２を設けた穀物乾燥機とする。また、各々の覗き窓の上下間隔とほぼ同間隔で照明灯を設けた紐状体４３を覗き窓に接近して貯留室の外側壁に沿って吊り下げた。【選択図】図８
2020089335.tif 000002
【特許請求の範囲】
【請求項１】
貯留室（２）の外側壁に上下に並べて複数の覗き窓（４１）を設けた穀物乾燥機において、各々の前記覗き窓（４１）を外から照らす照明灯（４２）を設けたことを特徴とする穀物乾燥機。
【請求項２】
各々の前記覗き窓（４１）の上下間隔と略同間隔で前記照明灯（４２）を設けた紐状体（４３）を各々の前記覗き窓（４１）に接近して前記貯留室（２）の外側壁に沿って吊り下げたことを特徴とする請求項１に記載の穀物乾燥機。  
【請求項３】
前記覗き窓（４１）の上部に庇（４６）を設け、前記覗き窓（４１）の下部に前記照明灯（４２）を設けたことを特徴とする請求項１または請求項２に記載の穀物乾燥機。  
【請求項４】
前記貯留室（２）の内部に前記覗き窓（４１）から穀粒通過間隙を空けて反射板（４４）を設けたことを特徴とする請求項１から請求項３の何れか１項に記載の穀物乾燥機。  
【請求項５】
前記照明灯（４２）の下側に遮光体（４７）を設けたことを特徴とする請求項１から請求項４の何れか１項に記載の穀物乾燥機。  
【発明の詳細な説明】
【技術分野】
【０００１】
本発明は、穀粒を所定の水分率に乾燥する穀物乾燥機に関する。
【背景技術】
【０００２】
穀物乾燥機は、背の高い箱状機体の内部に熱風室と貯留室を設け、両室内に穀粒を循環させて所定の水分率になるまで乾燥させる装置である。
【０００３】
この穀物乾燥機に投入出来る穀粒量は決まっているが、貯留室に溜まる穀粒の溜まり具合を監視する必要がある。
【０００４】
例えば、特許文献１に記載の穀物乾燥機では、貯留室の側壁に縦方向に並べた複数の覗き窓を設けて機外から内部に溜まる穀粒の溜まり具合を監視できるようにしている。
【０００５】
貯留室の内部には天井から覗き窓に向けて照らす投光器を設けて、穀粒の溜まり具合を機外から見えるようにしている。
【先行技術文献】
【特許文献】
【０００６】
【特許文献１】特許第４３９４７７７号公報
【発明の概要】
【発明が解決しようとする課題】
【０００７】
穀物乾燥機の貯留室では穀粒が循環しているために粉塵が発生するので排塵ダクトを設けているが、それでも粉塵が投光器の光を遮るので覗き窓の内部が外部からから見え難く、投光器に粉塵が堆積してきて穀粒が見えなくなる。
【０００８】
本発明は、穀粒貯留室の側壁に覗き窓を設けた穀物乾燥機において、覗き窓を通して穀粒の溜まり具合を機外から見易くすることを課題とする。
【課題を解決するための手段】
【０００９】
上記本発明の課題は、次の技術手段により解決される。
【００１０】
請求項１の発明は、貯留室２の外側壁に上下に並べて複数の覗き窓４１を設けた穀物乾燥機において、各々の覗き窓４１を外から照らす照明灯４２を設けたことを特徴とする穀物乾燥機とする。
【００１１】
請求項２の発明は、各々の覗き窓４１の上下間隔と略同間隔で照明灯４２を設けた紐状体４３を各々の覗き窓４１に接近して貯留室２の外側壁に沿って吊り下げたことを特徴とする請求項１に記載の穀物乾燥機とする。
【００１２】
請求項３の発明は、覗き窓４１の上部に庇４６を設け、覗き窓４１の下部に照明灯４２を設けたことを特徴とする請求項１または請求項２に記載の穀物乾燥機とする。
【００１３】
請求項４の発明は、貯留室２の内部に覗き窓４１から穀粒通過間隙を空けて反射板４４を設けたことを特徴とする請求項１から請求項３の何れか１項に記載の穀物乾燥機とする。
【００１４】
請求項５の発明は、照明灯４２の下側に遮光体４７を設けたことを特徴とする請求項１から請求項４の何れか１項に記載の穀物乾燥機とする。
【発明の効果】
【００１５】
請求項１の発明で、貯留室２に設けた覗き窓４１を機外から照明灯４２で照らすので、照明灯４２の光が覗き窓４１内部に接している穀粒を鮮明に照らして貯留状態を機外から監視し易い。また、機外の照明灯４２は粉塵で光を遮られることが無い。
【００１６】
請求項２の発明で、請求項1の効果に加えて、照明灯４２を覗き窓４１の上下間隔と略同間隔で設けた紐状体４３を貯留室２の上部から吊り下げて設置できるので、設置が容易で照明灯４２の交換などのメンテナンスが容易である。
【００１７】
請求項３の発明で、請求項１または請求項２の効果に加えて、庇４６で外光を防ぎながら照明灯４２で覗き窓４１を照らすので、貯留室２内部の穀粒が鮮明に見える。
【００１８】
請求項４の発明で、請求項１から請求項３の何れか１項の効果に加えて、貯留室２内部の反射板４４が覗き窓４１を通過する照明灯４２の光を反射して穀粒を浮き上がらせてさらに鮮明に見えるようになる。
【００１９】
請求項５の発明で、請求項１から請求項４の何れか１項の効果に加えて、遮光体４７が照明灯４２の下向き光を遮って覗き窓４１を見上げる監視者の目に届かないので、眩しくなくて覗き窓４１内の穀粒の貯留状態を観察し易い。
【図面の簡単な説明】
【００２０】
【図１】本発明の実施例の穀物乾燥機の全体正面図である。
【図２】図１とは反対側から見た本発明の実施例の穀物乾燥機の全体背面図である。
【図３】穀物乾燥機の図１Ａ−Ａ線断面矢視図である。
【図４】穀物乾燥機の排塵機の平面図（ａ）と側面図（ｂ）である。
【図５】穀物乾燥機の操作パネルである。
【図６】穀物乾燥機の駆動機構分解斜視図である。
【図７】穀物乾燥機の制御ブロック図である。
【図８】穀物乾燥機の上部斜視図である。
【図９】貯留室側部の拡大斜視図である。
【図１０】覗き窓の拡大斜視図である。
【図１１】別実施例を示す貯留室側部の拡大斜視図である。
【図１２】さらに別実施例を示す貯留室側部の拡大斜視図である。
【発明を実施するための形態】
【００２１】
本発明の実施形態を図面と共に説明する。  
図１と図２には、それぞれ本実施例の穀物乾燥機の外観を互いに反対方向から見た斜視図を示し、図３は図１の穀物乾燥機内部のＡ−Ａ線断面矢視図であり、乾燥機内部の内部構造を示す。
【００２２】
乾燥機内には貯留室２、排風室３、熱風室４及び集穀室６が上方から順に積み重ねられ、乾燥機の壁面外部に昇降機１６を配置している。なお、排風室３及び熱風室４を合わせて乾燥室５ということがある。  
排風室３と熱風室４を仕切る壁８の間に上方から下方に向けて漏斗状の穀粒が落下する穀粒流路９が形成されており、この穀粒流路９を落下する間に穀粒は熱風で間接的に乾燥される。
【００２３】
従って、貯留室２内の穀粒は天井部１０から落下していく過程で、排風室３と熱風室４の間の穀粒流路９で乾燥される。貯留室２内の天井部１０に設けた上部ラセン２３から拡散羽根３５（図６）により穀粒が拡散されながら、貯留室２内の水平断面の全体に亘り広がって落下することで乾燥し易くなる。
【００２４】
乾燥された穀粒は、穀粒流路９の下端部に集められ、穀粒流路９の下端部に設けられたロータリバルブ３８を経由して集穀室６に集められ、集穀室６の下部に設けられた下部コンベア３９により乾燥機の外部にある昇降機１６に抜き出され、乾燥機の天井部１０側に搬送されて、天井部１０に設けられた上部ラセン２３により、再び貯留室２から下方に向けて落下する。
【００２５】
また、貯留室２内の適所に張り込みセンサ１２が配置されており、張り込み穀粒量を適宜検出できる。  
なお、乾燥機内の排風室３から図示しないモータで作動するファン１３（図２参照）により排風ダクト１４から排風を外部に排出する。また昇降機１６の適所に自動水分計１７を配置し、さらに昇降機１６の隣には熱風室４に熱風を供給する熱源として、例えば遠赤外線放射体１９などを設け、その熱源の上方に乾燥機の駆動制御を行うコントローラ５０（図７）を設けている。
【００２６】
また、乾燥機の天井部１０に配置された上部ラセン２３を覆う上部ラセン樋２２には排塵機２４が配置されており、乾燥機内及び上部ラセン樋２２内の塵埃は排塵機２４で吸引され、排塵ダクト２５から外部に排出される。
【００２７】
さらに詳述すると、排塵機２４は吸引ダクト２６を上部ラセン樋２２に接続する。そして、図４（ａ）の平面図と図４（ｂ）の側面図に示すように排塵機２４には排塵モータ２７と該排塵モータ２７で作動する排塵ファン２１及び圧力センサ２９が配置されている。圧力センサ２９は排塵機２４を構成する吸引ダクト２６の外側に設けられ、一端が吸引ダクト２６内と連通し、他端が圧力センサ２９に接続したパイプ３１が接続しており、該パイプ３１を経由して吸引ダクト２６内の雰囲気圧力が圧力センサ２９に導かれることで、排塵機２４内の圧力が検出できる。
【００２８】
図５には本実施例の穀物乾燥機の操作パネル３２を示す。穀類の張込ボタン３３ａ、通風ボタン３３ｂ、乾燥３３ｃ、排出ボタン３３ｄ、停止ボタン３３ｅが並列配置されており、上記ボタン３３ａ〜３３ｅによりそれぞれの運転操作を行うことができる。熱風温度、水分、残り時間について液晶画面３４に表示可能であり、また緊急停止ボタン４０により乾燥機を緊急停止することもできる。
【００２９】
その他に乾燥休止時間の設定、タイマの設定及び張り込み量と水分量の設定がそれぞれできるボタン４５ａ、４５ｂとその増減をそれぞれ行う増加ボタン４５ｃと減少ボタン４５ｄが設けられており、それらのボタン４５ａ〜４５ｄによる設定値は液晶画面３４に表示される構成になっている。
【００３０】
図６には穀物乾燥機の駆動機構を示し、ファン３７は熱風室４と排風室３を通過した熱風を吸引し、機外に排風として排出する。
【００３１】
図７には穀物乾燥機の制御機構をブロック図で示し、詳細の説明を省略するが、昇降機１６を駆動するモータの負荷を積算して所定張り込み量になると操作パネル３２に設ける張り込みレベル表示ＬＥＤを点滅して知らせるようにすると良い。
【００３２】
図８は、貯留室２を上から見た斜視図で、貯留室２は複数の縦桟５２，５２・・・と複数の横桟５３で周囲の側壁が支持された直方体の箱で、横桟５３で仕切られた各ブロックに透明の樹脂板で覗き窓４１が形成され、この覗き窓４１が上下に並んでいる。各覗き窓４１の側部を上部ラセン２３から引き出した電源ハーネスＨを通した紐状体４３が吊るされ、紐状体４３には覗き窓４１に接近して照明灯４２が設けられている。
【００３３】
照明灯４２は覗き窓４１を照らして内部の穀粒の溜まり具合を貯留室２の側部に立った監視者が見上げて確認できる。
【００３４】
なお、照明灯４２は横桟５３上に覗き窓４１へ向けて設け、照明灯４２への電源ハーネスＨを横桟５３に沿わせて配線しても良い。
【００３５】
また、図９に示す如く、縦桟５２に沿って電源ハーネスＨを配線し、その配線カバー５５から覗き窓４１に向けて照明灯４２を取り付ける照明支持アーム５４を突設する構成でも良い。
【００３６】
また、覗き窓４１を縦桟５２の近くに設け、中空縦桟５２の内部を通す電源ハーネスＨに設ける照明灯４２の光が縦桟５２に設ける窓から覗き窓４１を照らすようにしても良い。
【００３７】
図１０は、覗き窓４１の内側に穀粒通過空間を空けてステンレス板等の反射板４４を設け、覗き窓４１を通った光が反射して穀粒を見易くした実施例である。
【００３８】
図１１は、覗き窓４１の上側に外光を遮る庇４６を設け、その窓側に照明灯４２を設けた構成で、覗き窓４１を明るく浮き上がらせて内部の穀粒を見易くしている。なお、庇４６は覗き窓４１の左右片側に設ける衝立でも両側に設ける衝立でも良い。
【００３９】
図１２は、各覗き窓４１の下側に遮光体４７を設けて照明灯４２の光が直接下にいる監視者の目に入るのを防ぐ構成で、遮光体４７は下側になるほど長く張り出す方が遮光効果が良い。
【００４０】
なお、遮光体４７の覗き窓４１側に照明灯４２を設け、遮光体４７の上側反射面で光を反射させて覗き窓４１を明るく照らすようにすると良い。
【００４１】
なお、上記以外に、覗き窓４１の周囲窓枠を光るようにする構成も考えられる。
【符号の説明】
【００４２】
２  貯留室
４１  覗き窓
４２  照明灯
４３  紐状体
４４  反射板
４６  庇
４７  遮光体
【図１】
2020089335.tif 000003
【図２】
2020089335.tif 000004
【図３】
2020089335.tif 000005
【図４】
2020089335.tif 000006
【図５】
2020089335.tif 000007
【図６】
2020089335.tif 000008
【図７】
2020089335.tif 000009
【図８】
2020089335.tif 000010
【図９】
2020089335.tif 000011
【図１０】
2020089335.tif 000012
【図１１】
2020089335.tif 000013
【図１２】
2020089335.tif 000014